(57)【特許請求の範囲】
【請求項１】
透光性基板と、
該透光性基板の一方の面に設けられるとともに、陽極と陰極に挟まれた発光層と、
を備えたＥＬ素子であって、
前記透光性基板の表面には、前記透光性基板の表面にレンズ群が設けられた光学シートが貼合層を介して貼り合わされ、
該光学シートは、
前記レンズ群の単位レンズが部分的、且つ二次元的に配列され、
前記単位レンズ間に表面積の０．１％〜５０％を有し、前記透光性基板からの出射光に対する全反射角度を増大する色ずれ低減部を備え、
前記色ずれ低減部の表面粗度は、絶対値で１０μｍ以下であり、
前記単位レンズは、前記色ずれ低減部から突出するように形成されていることを特徴とするＥＬ素子。
【請求項２】
前記色ずれ低減部は、前記光学シートの表面において分散して配置されていることを特徴とする請求項１に記載のＥＬ素子。
【請求項３】
前記単位レンズと前記色ずれ低減部とが規則的に配列されていることを特徴とする請求項１に記載のＥＬ素子。
【請求項４】
前記光学シート及び前記貼合層の少なくともいずれか一方に光拡散性要素を含むことを特徴とする請求項１乃至３のいずれか１項に記載のＥＬ素子。
【請求項５】
請求項１乃至４のいずれか１項に記載のＥＬ素子を備えたことを特徴とする照明装置。
【請求項６】
請求項５に記載の照明装置を備えたことを特徴とするディスプレイ装置。
【請求項７】
請求項５に記載の照明装置を備えたことを特徴とする液晶ディスプレイ装置。
【発明の詳細な説明】
【技術分野】
【０００１】
本発明は、フラットパネルディスプレイ、液晶用バックライト、照明用光源、電飾、サイン用光源等に用いられるＥＬ素子（エレクトロルミネッセンス素子）、および、ＥＬ素子を用いた表示装置、ディスプレイ装置、液晶ディスプレイ装置に関するものである。
【背景技術】
【０００２】
一般に、有機ＥＬ素子は、透光性基板上に蛍光有機化合物を含む発光層を、陽極と陰極とで挟んだ構造を有している。そして、陽極と陰極に直流電圧を印加し、発光層に電子及び正孔を注入して再結合させることにより、励起子を生成し、この励起子の失活する際の光の放出を利用して発光に到っている。
【０００３】
ところで、従来、これらＥＬ素子において、発光層から射出した光線が透光性基板から射出する際に、透光性基板上において全反射することで光線のロスが生じるという問題があった。また、このときの光の外部取り出し効率は、一般的に２０％程度と言われている。そのため高輝度にするためにはより多くの投入電力が必要となり、負担増加による素子の劣化が問題となっていた。
【０００４】
これに対し、この光の外部取り出し効率を向上させる目的で、素子基板に表面凹凸を形成し、全反射によりロスしている光線を外部に取り出すという方法が提案されている（例えば、特許文献１参照）。
また、表面凹凸パターンが形成された光学シートを素子基盤に粘着剤や接着剤を介して貼合することで全反射によりロスしている光線を外部に取り出すという方法が提案されている（例えば、特許文献２参照）。
【先行技術文献】
【特許文献】
【０００５】
【特許文献１】特開２００２−２６０８４５号公報
【特許文献２】特開２００９−３２４６３号公報
【発明の概要】
【発明が解決しようとする課題】
【０００６】
しかしながら、上述した特許文献１、２に開示されている従来技術では、以下のような問題があった。
すなわち、上記従来技術により表面凹凸を有する光学シートを貼合することで光取り出し効率を向上させることは可能となったが、特定の波長を有し、特定の入射角で光学シートに入射した光線を特定角度に多く出射させてしまうような強い指向性を出射光に与えてしまうことにより、視野角によって色味が異なるといった色ずれという現象を引き起こしてしまう問題があった。
とくに、出射光に何らかの指向性を付与するような表面形状を用いた場合には、発光層が多層構成を有するＥＬ素子において、光学シートに対して±４０°以上の入射角を持つ光線の挙動が色ずれの強弱に大きく影響することから、その点で改良の余地があった。
【０００７】
本発明は、上述する問題点に鑑みてなされたもので、光取り出し効率を向上と色ずれの低減とをバランス良く達成することができ、輝度ムラを抑制し、ＥＬ素子用の光取り出し効率を向上させることができるＥＬ素子、及びそれを備えた照明装置、ディスプレイ装置、液晶ディスプレイ装置を提供することを目的とする。
【課題を解決するための手段】
【０００８】
上記目的を達成するため、本発明に係るＥＬ素子では、透光性基板と、透光性基板の一方の面に設けられるとともに、陽極と陰極に挟まれた発光層とを備えたＥＬ素子であって、透光性基板の表面には、透光性基板の表面にレンズ群が設けられた光学シートが貼合層を介して貼り合わされ、光学シートは、レンズ群の単位レンズが部分的、且つ二次元的に配列され、単位レンズ間に表面積の０．１％〜５０％を有し、透光性基板からの出射光に対する全反射角度を増大する色ずれ低減部を備え、色ずれ低減部の表面粗度は、絶対値で１０μｍ以下であり、単位レンズは、色ずれ低減部から突出するように形成されていることを特徴としている。
【０００９】
本発明では、光学シートの表面（出射面）における色ずれ低減部の面積率を０．１％〜５０％の範囲とすることで、色ずれの低減を図ることができ、金型などを用いてロール状に成形する際の母型を作成することが可能となり、またＥＬ素子からの光取り出し効率が大きく低下するのを防止することができる。
また、色ずれ低減部の表面粗度における絶対値が＋１０μｍより大きい場合には、光学シートの表面に外力が及んだ場合に、色ずれ低減部に直接、外力が加わってしまい、結果として表面の耐摩擦性が低下してしまうことを防止できる。また、絶対値が−１０μｍより大きい場合において、光学シートの表面保護を目的に保護フィルムを貼り合わせたときに、単位レンズとの高低差により浮きが発生してしまうといった不具合を抑制することができる。
【００１０】
また、本発明に係るＥＬ素子では、色ずれ低減部は、光学シートの表面において分散して配置されていることが好ましい。
【００１１】
この場合、色ずれ低減部が集合体としてある部分に集中して存在してしまった場合に発生するＥＬパネル全体としての局部的な光学特性のムラを抑制することができる。
【００１２】
また、本発明に係るＥＬ素子では、単位レンズと色ずれ低減部とが規則的に配列されていることが好ましい。
【００１３】
この場合、局部的な光学特性のムラ発生が抑制されるとともに、旋盤などを用いた微細加工などで所望の形状にて母型を得ることが可能となるため、製造方式が容易になるといった利点がある。
【００１６】
また、本発明に係るＥＬ素子では、光学シート及び貼合層の少なくともいずれか一方に光拡散性要素を含むことが好ましい。
【００１７】
この場合、光拡散性要素を添加することで、出射面からの出射光の指向性を更に低減することができ、色ずれの低減効果、及び出射面での輝度分布の均一化といった効果を奏する。
【００１８】
また、本発明に係るＥＬ素子を備えた照明装置では、上述したいずれかに記載のＥＬ素子を備えたことを特徴としている。
本発明では、上述したＥＬ素子を用いることで、色ずれの低減が図れ、光取り出し効率を向上させることができる照明装置が得られる。
【００１９】
また、本発明に係るディスプレイ装置では、上述の照明装置を備えたことを特徴としている。
本発明では、上述した照明装置を用いることで、色ずれの低減が図れ、光取り出し効率を向上させることができるディスプレイ装置が得られる。
【００２０】
また、本発明に係る液晶ディスプレイ装置では、上述の照明装置を備えたことを特徴としている。
本発明では、上述した照明装置を用いることで、色ずれの低減が図れ、光取り出し効率を向上させることができる液晶ディスプレイ装置が得られる。
【発明の効果】
【００２１】
本発明のＥＬ素子、及びそれを備えた照明装置、ディスプレイ装置、液晶ディスプレイ装置によれば、光学シートの出射面に面積率が０．１％〜５０％の色ずれ低減部を設けることで、光取り出し効率を向上と色ずれの低減とをバランス良く達成することができ、輝度ムラを抑制し、ＥＬ素子用の光取り出し効率を向上させることができる。
【図面の簡単な説明】
【００２２】
【図１】本発明の第１の実施の形態によるＥＬ素子の概略構成を示す模式的な断面図である。
【図２】図１に示すＥＬ素子の斜視図である。
【図３】色ずれ低減部の表面粗度を説明するための断面図であって、図１に対応する図である。
【図４】本発明の第２の実施の形態によるＥＬ素子の概略構成を示す斜視図であって、図２に対応する図である。
【図５】第１変形例によるＥＬ素子の概略構成を示す模式的な断面図であって、図１に対応する図である。
【図６】第２変形例によるＥＬ素子の概略構成を示す模式的な断面図であって、図１に対応する図である。
【発明を実施するための形態】
【００２３】
以下、本発明の第１の実施の形態によるＥＬ素子、及びそれを備えた照明装置、ディスプレイ装置、液晶ディスプレイ装置について、図面に基づいて説明する。
【００２４】
（第１の実施の形態）
はじめに、本実施の形態のＥＬ素子は、例えば、発光手段として照明装置に具備され、あるいはＥＬ素子が画素駆動されるようにディスプレイ装置に具備され、あるいは画像表示素子の背面に配設して液晶ディスプレイ装置に具備されて使用される。また、液晶ディスプレイ装置においては、本実施の形態のＥＬ素子を発光手段として備えた照明装置を画像表示素子の背面に配設して構成するようにしてもよい。
【００２５】
図１に示すように、本第１の実施の形態のＥＬ素子１（１Ａ）は、発光ユニットをなし、ＥＬ素子本体２と光学シート３とが一体的に積層された構成となっている。
ここで、以下の説明では、図１に示すＥＬ素子１（或いは光学シート３）の平面に対する法線方向を上下方向といい、その上下方向で上側を表面側、下側を裏面側という。
【００２６】
ＥＬ素子本体２は、第１基板（透光性基板）２１と、第１基板２１の裏面２１ｂ（一方の面）側に配置される第２基板２２と、第１基板２１と第２基板２２との間に挟持される発光構造体２３と、が一体的に積層形成されて概略構成されている。発光構造体２３は、第１基板２１の裏面２１ｂ側に配置される陽極２４と、第２基板２２の表面２２ａ側に配置される陰極２５と、の間に発光層２６が挟持された構成となっている。
【００２７】
第１基板２１及び第２基板２２は、材料として、種々のガラス材料を用いることができる他に、ＰＭＭＡ、ポリカーボネート、ポリスチレン等のプラスチック材料、あるいはアルミニウム等の金属材料等を用いることができる。さらにその他の様々な材料を用いることができるが、特に好ましい材料は、シクロオレフィン系のポリマーであり、このポリマーは、加工性、及び耐熱、耐水性、光学透光性等の材料特性の全てにおいて優れたものである。また、第１基板２１は、発光構造体２３（発光層２６）からの光をできるだけ多く透過させることができるように、全光線透過率を５０％以上にすることができる材料を用いて形成することが好ましい。
【００２８】
発光構造体２３は、発光層２６が陽極２４と陰極２５に電圧を印加することにより発光するものであり、従来公知のさまざまな構成を採用することができる。また、白色発光層とする場合、例えば、ＩＴＯ／ＣｕＰｃ（銅フタロシアニン）／α−ＮＰＤにルブレン１％ドープ／ジナクチルアントラセンにペリレン１％ドープ／Ａｌｑ３／フッ化リチウム／陰極としてＡｌという構成にすればよい。
【００２９】
光学シート３は、第１基板２１の上面（表面２１ａ）に積層されており、透光性基材３１と、透光性基材３１上に積層形成されてＥＬ素子１Ａの表面を形成する凹凸状の構造層３２とが積層されてなり、透光性基材３１が粘着剤又は接着剤からなる貼合層３３によって第１基板２１に固着された構成となっている。ここで、光学シート３は、構造層３２を透光性基材３１と別体として成形しても良いし、一体成形したものであってもよい。
そして、このＥＬ素子１Ａは、陽極２４と陰極２５の間に電圧を印加して発光層２６から出射した光が第１基板２１を透過し、光学シート３に入射し、さらに光学シート３において発光層２６からの光を透過して上方へ出射する。
【００３０】
透光性基材３１としては、具体的には、ポリエステル樹脂、ポリオレフィン樹脂、ポリスチレン樹脂、メタクリル樹脂、ポリカーボネート樹脂、塩化ビニル樹脂、シクロオレフィンポリマーや、これらの複合体などの合成樹脂が用いられる。
【００３１】
また、熱可塑性樹脂を用いることで射出成形や押出し成形時にあらかじめ所望のパターンが付与された金型、もしくはフィルム状の型を溶融樹脂と圧着することで透光性基材３１とレンズ群を一体として得ることもできる。具体的には、アクリル系樹脂、アクリロニトリル系樹脂、アクリロニトリルポリスチレン共重合体、ポリカーボネート系樹脂、シクロオレフィン系樹脂、ポリエステル系樹脂、スチレン系樹脂、アクリル／スチレン系共重合樹脂等の光透過性が高く、耐衝撃性を有するものを使用することができる。
【００３２】
構造層３２は、光学シート３の射出面Ｔをなし、透光性基材３１上に形成された単位レンズ４の集合体と、色ずれ低減部５とを備えている。
単位レンズ４は、断面形状が三角形や曲率を含むものが所望の比率に混合されたものからなり、一方向のみに配列されることでレンズ群を形成するものであっても良く、また二次元的に配列することでレンズ群を形成したものとすることがより好ましい。ここで、単位レンズ４のうち三角形状のものを符号４Ａとし、曲率を含む形状のものを符号４Ｂとして区別して用いる。
なお、二次元的配列とは、シリンドリカル、直交、ハニカム配列が一例として挙げられる。
【００３３】
色ずれ低減部５は、略平坦な形状を有し、単位レンズ４と比較して透光性基材３１からの出射光に対する全反射角度を増やす機能を有している。すなわち、透光性基材３１からの出射光において、色ずれの原因となる光学シート３に対して入射角±４０°以上の光線を全反射させ、色ずれ低減機能を発現させるものである。
【００３４】
そして、出射面Ｔにおける色ずれ低減部５の面積率Ｓは、０．１％＜Ｓ＜５０％の範囲であることが好ましい。色ずれ低減部５の面積率がＳ≦０．１％の場合は、金型などを用いてロール状に成形する際の母型を作成することが困難となる。また、色ずれ低減部５の面積率がＳ≧５０％の場合では、色ずれは低減するもののＥＬ素子１Ａからの光取り出し効率が大きく低下してしまう。なお、光学シート３を貼合層３３を介してＥＬ素子本体２と貼り合せることでＥＬ素子１Ａを得ることができる。
【００３５】
単位レンズ４及びそのレンズ群について、活性線硬化型樹脂を使用して賦型する際には、例えば紫外線などの活性エネルギー線が照射されたときに硬化して接着性を有するものが使用できる。例えば紫外線硬化型フォトポリマーが用いられ、具体的にはアクリル系ポリマー、アクリル系モノマー及び光開始剤等を含んだ公知のものが用いられ、透光性基材３１上に前記フォトポリマーを塗布し、あらかじめパターンが賦型された版と圧着状態にて硬化させることで所望のレンズ群を得ることができる。
【００３６】
また、図２に示すように、複数の色ずれ低減部５は、光学シート３の出射面Ｔにおいて平面視で分散されて配置されている。これにより、色ずれ低減部５が集合体としてある部分に集中して存在してしまった場合に発生するＥＬパネル全体としての局部的な光学特性のムラを抑制することができる。なお、図２では、ＥＬ素子本体２を省略している。
【００３７】
さらにまた、本実施の形態によるＥＬ素子１Ａでは、図３に示すように、色ずれ低減部５の表面粗度ＲｍａｘをＲ−ｈとした場合、そのＲ−ｈの絶対値が１０μｍ以下となっている。Ｒ−ｈ＞＋１０μｍの場合は、光学シート３の表面に外力が及んだ場合に、色ずれ低減部５に直接、外力が加わってしまう可能性があり、結果として表面の耐摩擦性が低下してしまうこととなる。また、Ｒ−ｈ＞−１０μｍの場合は、単位レンズ４との高低差により、光学シート３の表面保護を目的に保護フィルムを貼り合わせた際に、浮きが発生してしまう可能性がある。
【００３８】
貼合層３３については、アクリル、ウレタン系のような樹脂系のいずれでもよく、透光性基材３１及び熱可塑性樹脂の材質により適宜選択することができる。より具体的にアクリル系粘着剤としては、アクリルポリマーを適宜架橋することで耐熱性に優れた粘着剤層が得られる。この架橋方法の具体的手段としては、イソシアネート化合物、エポキシ化合物、アジリジン化合物などアクリル系ポリマーに適宜架橋基点として含ませたカルボキシル基、ヒドロキシル基、アミノ基、アミド基などと反応しうる基を有する化合物を添加し反応させるいわゆる架橋剤を用いる方法がある。
【００３９】
このうち、イソシアネート化合物としては、トリレンジイソシアネート、キシレンジイソシアネートなどの芳香族イソシアネート、イソホロンジイソシアネートなどの脂環式イソシアネート、ヘキサメチレンジイソシアネートなどの脂肪族イソシアネートなどが挙げられる。その中でも適度な凝集力を得る観点から、イソシアネート化合物はエポキシ化合物がとくに好ましく用いられる。エポキシ化合物としては、N、N、N´、N´−テトラグリシジル−ｍ−キシレンジアミン、１、３−ビス（Ｎ、Ｎ−ジグリシジルアミノメチル）シクロヘキサンなどが挙げられる。
硬化剤としては、これらの化合物を単独ないしは２種以上混合してもよく、貼合する対象となる部位の樹脂系とより密着性のよい樹脂系を選択することができる。
【００４０】
次に、図１に示す本実施の形態によるＥＬ素子１Ａの光学シート３において、透光性基材３１、貼合層３３、もしくは単位レンズ４、或いはそれら全てに光拡散性要素が添加されている場合について、具体的に説明する。
この場合、光拡散性要素を添加することで出射面Ｔからの出射光の指向性を更に低減することができ、色ずれの低減効果、及び出射面Ｔでの輝度分布の均一化といった効果がある。
ここで、光拡散性要素とは、スチレン系樹脂、アクリル系樹脂、シリコーン系樹脂、尿素樹脂、ホルムアルデヒド縮合物などからなる有機系粒子やガラスビーズ、シリカ、アルミナ、炭酸カルシウム、金属酸化物などからなる無機系微粒子または気泡や可視光の特定の波長に吸収を有するような色素顔料なども使用することができ、複数の光拡散要素を併用することも可能である。
【００４１】
光拡散性要素の光学シート３と貼合層３３を併せた総体積に対する体積比率Ｄ１は、色ずれの視認性を下げるという意味では大きいほど良いが、実際使用する際にはＤ１＜３０％の範囲が好ましく、貼合層３３にのみ添加する場合においてＤ１≦２０％程度の範囲がより好ましい。これは、体積比率がＤ１＞２０％の範囲となると、貼合層３３の密着強度が顕著に下がりはじめ、体積含有率が３０％を超えると貼合層３３の密着強度が低下し、貼り合せること自体が困難になるためである。
【００４２】
また、光学シート３にのみ添加する場合には、Ｄ１≧３０％の範囲となる場合において、透光性基材３１に金型などの母型を用いて活性硬化線樹脂により単位レンズ４を成形した際に、活性硬化性樹脂の粘度が増加し、所望のパターンを付与することが困難となる。さらに、溶融成形などで単位レンズ４、色ずれ低減部５、及び透光性基材３１を一体成形する場合においても、Ｄ１≧３０％の範囲となった場合には、樹脂の溶融粘度の増加によるパターン賦型性の低下や樹脂膜の破断などによる面状態の悪化などの不良が発生することになる。
【００４３】
さらに、貼合層３３においては、微粒子を用いた場合に該微粒子は光拡散性要素を持たなくても良い。すなわち、貼合層３３を形成する成分と屈折率が同等の微粒子も使用することができ、使用することが可能な貼合層３３用の材料の選択の幅が広がるといったメリットがある。
また、該微粒子は、スチレン系樹脂、アクリル系樹脂、シリコーン系樹脂、尿素樹脂、ホルムアルデヒド縮合物などからなる有機系粒子やガラスビーズ、シリカ、アルミナ、炭酸カルシウム、金属酸化物などからなる無機系微粒子や、可視光の特定の波長に吸収を有するような色素顔料なども使用することができ、複数の微粒子を併用することも可能である。
【００４４】
ここで、貼合層３３に対する微粒子の体積含有率Ｄ２は、Ｄ２＜３０％の範囲が好ましく、より好ましくはＤ２≦２０％程度の範囲である。Ｄ２≦２０％の範囲であれば使用する貼合層３３の材質に合わせて微粒子を適宜選定することで、透光性基材３１との所望の密着強度に調整することが可能であり、貼り合わせ直後にはリワーク性を付与し、ある経過時間後には高い密着性を付与するような設計が容易となる。一方、Ｄ２＞２０％の範囲になると、貼合層３３の密着強度が顕著に下がりはじめ、体積含有率が３０％を超えると貼合層３３の密着強度が低下し、貼り合せること自体が困難になるためである。
【００４５】
上述のように本第１の実施の形態によるＥＬ素子、及びそれを備えた照明装置、ディスプレイ装置、液晶ディスプレイ装置では、光学シート３の出射面Ｔに面積率が０．１％〜５０％の色ずれ低減部５を設けることで、光取り出し効率を向上と色ずれの低減とをバランス良く達成することができ、輝度ムラを抑制し、ＥＬ素子用の光取り出し効率を向上させることができる。
【００４６】
次に、本発明によるＥＬ素子、及びそれを備えた照明装置、ディスプレイ装置、液晶ディスプレイ装置の他の実施の形態について、添付図面に基づいて説明するが、上述の第１の実施の形態と同一又は同様な部材、部分には同一の符号を用いて説明を省略し、第１の実施の形態と異なる構成について説明する。
【００４７】
（第２の実施の形態）
図４に示すように、本発明の第２の実施の形態によるＥＬ素子１（１Ｂ）は、光学シート３における出射面Ｔは、単位レンズ４、及びそのレンズ群と色ずれ低減部５が規則的に配列された構成となっている。すなわち、各色ずれ低減部５は、それぞれが同一形状（同一面積）であり、所定の間隔をもって配置されている。
この場合、上述した第１の実施の形態と同様に、光取り出し効率を向上と色ずれの低減とをバランス良く達成することができ、ＥＬ素子用の光取り出し効率を向上させることができる。そのうえ、局部的な光学特性のムラ発生が抑制されるとともに、旋盤などを用いた微細加工などで所望の形状にて母型を得ることが可能となるため、製造方式が容易になるといった利点がある。
【実施例】
【００４８】
次に、上述した第１および第２実施の形態によるＥＬ素子、及びそれを備えた照明装置、ディスプレイ装置、液晶ディスプレイ装置の効果を裏付けるための一例について以下説明する。
【００４９】
（実施例１）
実施例１では、ＥＬ素子の色ずれ低減部の面積比率を０．１％、５％、１０％、２５％、４０％、５０％、８０％と変化させ、目視により評価するとともに、全光束測定器により光取り出し効率を測定し、評価を行った。
単位レンズは、頂角９０°の形状のプリズムを使用し、レンズ群を一方向に配列した。
なお、光学シートは、光拡散性要素を添加していないものを採用している。
【００５０】
表１は、実施例１の評価結果を示している。表１における評価基準は、色ずれ目視評価で、光学シート非貼合時よりも色ずれが低減したものを「○」とし、光学シート非貼合時と色ずれが同等となったものを「×」として記載している。また、全光束評価結果では、光学シート非貼合時と比較し取り出し効率が同等以上となったものを「○」とし、光学シート非貼合時よりも取り出し効率が減少したものを「×」として記載している。
【００５１】
【表１】
0005771989.tif 000002
【００５２】
表１に示すように、色ずれ目視評価では、色ずれ低減部の面積比率が２５％以上で良好、すなわち光学シート非貼合時よりも色ずれが低減されたことが確認できた。一方、光取り出し効率の評価では、色ずれ低減部の面積比率が５０％を超えると光学シート非貼合時よりも取り出し効率が減少することが確認された。
【００５３】
（実施例２）
次に、実施例２では、ＥＬ素子の色ずれ低減部の面積比率を０．１％、２％、５％、１０％、２５％、４０％、５０％、８０％と変化させ、目視により評価するとともに、全光束測定器により光取り出し効率を測定し、評価を行った。
単位レンズは、頂角９０°の形状のプリズムを使用し、レンズ群を一方向に配列した。
そして、光学シートの貼合層として、アクリル系粘着剤の材質で、光拡散性要素を添加したものを採用している。この光拡散性要素は、アクリルスチレン共重合樹脂架橋物であり、光拡散性微粒子体積添加率は１５％である。
【００５４】
【表２】
0005771989.tif 000003
【００５５】
表２は、実施例２の評価結果を示している。表２における評価基準「○」、「×」は、上述した実施例１（表１）と同様であるので、ここでは説明を省略する。
表２に示すように、色ずれ目視評価では、色ずれ低減部の面積比率が２％以上で良好、すなわち光学シート非貼合時よりも色ずれが低減されたことが確認できた。一方、光取り出し効率の評価では、色ずれ低減部の面積比率が５０％を超えると光学シート非貼合時よりも取り出し効率が減少することが確認された。
【００５６】
（実施例３）
次に、実施例３では、ＥＬ素子の色ずれ低減部の面積比率を０．１％、２％、５％、１０％、２５％、４０％、５０％、８０％と変化させ、目視により評価するとともに、全光束測定器により光取り出し効率を測定し、評価を行った。
単位レンズは、上述した実施例１、２と同様の頂角９０°の形状のプリズムを使用し、レンズ群を一方向に配列した。
そして、光学シートのレンズ部に光拡散性要素を添加したものを採用している。このレンズ部の光拡散性要素は、アクリルスチレン共重合樹脂架橋物であり、光拡散性微粒子体積添加率は１５％である。
【００５７】
【表３】
0005771989.tif 000004
【００５８】
表３は、実施例３の評価結果を示している。表３における評価基準「○」、「×」は、上述した実施例１、２（表１、２）と同様であるので、ここでは説明を省略する。
表３に示すように、色ずれ目視評価では、色ずれ低減部の面積比率が変化値の全範囲（０．１％〜８０％）において良好、すなわち光学シート非貼合時よりも色ずれが低減されたことが確認できた。一方、光取り出し効率の評価では、色ずれ低減部の面積比率が５０％を超えると光学シート非貼合時よりも取り出し効率が減少することが確認された。
【００５９】
以上、本発明によるＥＬ素子、及びそれを備えた照明装置、ディスプレイ装置、液晶ディスプレイ装置の第１および第２の実施の形態について説明したが、本発明は上記の実施の形態に限定されるものではなく、その趣旨を逸脱しない範囲で適宜変更可能である。
例えば、本第１及び第２の実施の形態では単位レンズ４の断面形状が三角形や曲率を含むものが所望の比率に混合されたものとしているが、このような構成に限定されることはない。例えば、図５に示すように、三角形状からなる単位レンズ４Ａのみを配列したものや、図６に示すように、曲率を含む形状からなる単位レンズ４Ｂのみを配列したものであってもかまわない。
【符号の説明】
【００６０】
１、１Ａ、１Ｂ、１Ｃ、１Ｄ  ＥＬ素子
２  ＥＬ素子本体
３  光学シート
４  単位レンズ
５  色ずれ低減部
２１  第１基板（透光性基板）
２２  第２基板
２３  発光構造体
２４  陽極
２５  陰極
２６  発光層
３１  透光性基材
３２  構造層
３３  貼合層
Ｔ  出射面
【図１】
0005771989.tif 000005
【図２】
0005771989.tif 000006
【図３】
0005771989.tif 000007
【図４】
0005771989.tif 000008
【図５】
0005771989.tif 000009
【図６】
0005771989.tif 000010